(57)【要約】【課題】  ユーザの多岐に渡る用途に対応した画像処理内容を記憶し、画像処理内容の度重なる指定を解消する画像処理装置を提供する。【解決手段】  画像処理に関する一連のパラメータである画像処理内容に基づいて画像データを変換するＩＰＵ１４を有する画像処理装置において、画像データを記憶するＲＡＭ１（１３−１）と、前記画像処理内容に、当該画像処理内容を用いて所定の画像処理を行う画像データを関連付けて記憶するＲＡＭ２（１３−２）を有し、ＲＡＭ１（１３−１）は、ＩＰＵ１４が変換した画像データを記憶し、ＲＡＭ２（１３−２）は、前記変換した画像データに関連付けされた画像処理内容を記憶する。その際、通信制御手段１９は、ＩＰＵ１４が変換した画像データをＰＣ２に送信しても良い。【選択図】  図２
2006086616.tif 000002
【特許請求の範囲】
【請求項１】
画像処理に関する一連のパラメータである画像処理内容に基づいて画像データを変換する画像処理手段を有する画像処理装置において、
画像データを記憶する画像データ記憶手段と、
前記画像処理内容に、当該画像処理内容を用いて所定の画像処理を行う画像データを関連付けて記憶する画像処理内容記憶手段を有し、
前記画像データ記憶手段は、前記画像処理手段が変換した画像データを記憶し、
前記画像処理内容記憶手段は、前記変換した画像データに関連付けされた画像処理内容を記憶することを特徴とする画像処理装置。
【請求項２】
外部端末の画像データの送信要求に応答する画像データ応答手段を有し、
前記画像データ応答手段の応答において、前記画像処理手段が変換した画像データを外部端末に送信することを特徴とする請求項１に記載の画像処理装置。
【請求項３】
外部端末に対して、前記画像データ記憶手段に記憶されている画像データのうち所望の画像データの選択を要求する画像データ要求手段と、
前記外部端末に対して、前記画像データ記憶手段に記憶されている画像データに所定の画像処理を行うために用いる画像処理内容の設定を要求する画像処理内容設定要求手段を有し、
前記画像処理内容設定要求手段は、前記画像データ要求手段の要求により選択された画像データに対して前記画像処理内容の設定を要求し、
前記画像処理手段は、前記画像処理内容設定要求手段の要求により設定された画像処理内容に基づいて、前記画像データ要求手段の要求により選択された画像データを変換し、
前記画像データ記憶手段は、前記画像処理手段が変換した画像データを記憶し、
前記画像処理内容記憶手段は、前記変換した画像データに関連付けされた画像処理内容を記憶することを特徴とする請求項１に記載の画像処理装置。
【請求項４】
外部端末の画像データの送信要求に応答する画像データ応答手段を有し、
前記画像データ応答手段の応答において、前記画像処理手段が変換した画像データを外部端末に送信することを特徴とする請求項３に記載の画像処理装置。
【発明の詳細な説明】
【技術分野】
【０００１】
本発明は、既に保存されてる画像データに対して画像処理を施して変換された画像データを管理する画像処理装置に関する。
【背景技術】
【０００２】
コピー機、ＭＦＰ(Multi Functional Peripheral)に代表される画像処理装置は、原稿を電子化して画像データとして管理する形式を採っている。電子化においては、画像読み取り装置により印刷物を読み取ることになる。画像データはＲＡＭ(Read Access Memory)等の記憶素子に格納されて管理されている。そしてこの画像データを基に所定の様式に合わせた変換し、プリンタ等により印刷出力を行う。
【０００３】
所定の様式というのは、画像の解像度、明度、ぼかし、モノクロであるかカラーであるかといった色の選択、出力する用紙のサイズ、その他の画像処理に関する一連のパラメータ（以下、画像処理内容という。）を主に指す。記憶素子にはこの画像処理内容に対応する画像データを記憶している。
【０００４】
ユーザが印刷出力を行う際には、所定の画像処理内容を指定することが慣用である。管理されている画像データ及び印刷出力した印刷物の用途はユーザの利用目的、使用方法により多岐に渡る。従って画像処理装置内に記憶されている画像データがユーザの用途に対応した画像処理内容になっているとは限らない。印刷出力等するたびに画像処理内容を指定することは煩雑さが残る。
【０００５】
特許文献１では、画像データを記憶する記憶手段を装置全体で共有化することにより、画像処理制御手段が画像データの所望の領域にアクセスし、各領域において画像処理の内容を指定することができる画像処理装置について開示されているが、そのような画像処理制御手段による制御機構は、前述したユーザの用途に対応するものではない。
【特許文献１】特開２００１−２２３８６５号公報
【発明の開示】
【発明が解決しようとする課題】
【０００６】
上記事情を鑑みて、本発明ではユーザの多岐に渡る用途に対応した画像処理内容を記憶し、画像処理内容の度重なる指定を解消する画像処理装置を提供することを課題とする。
【課題を解決するための手段】
【０００７】
上記課題を解決する本発明の態様は、画像処理に関する一連のパラメータである画像処理内容に基づいて画像データを変換する画像処理手段を有する画像処理装置において、画像データを記憶する画像データ記憶手段と、前記画像処理内容に、当該画像処理内容を用いて所定の画像処理を行う画像データを関連付けて記憶する画像処理内容記憶手段を有し、前記画像データ記憶手段は、前記画像処理手段が変換した画像データを記憶し、前記画像処理内容記憶手段は、前記変換した画像データに関連付けされた画像処理内容を記憶するものである。その際、外部端末の画像データの送信要求に応答する画像データ応答手段を有し、前記画像データ応答手段の応答において、前記画像処理手段が変換した画像データを外部端末に送信しても良い。
【０００８】
さらに、外部端末に対して、前記画像データ記憶手段に記憶されている画像データのうち所望の画像データの選択を要求する画像データ要求手段と、前記外部端末に対して、前記画像データ記憶手段に記憶されている画像データに所定の画像処理を行うために用いる画像処理内容の設定を要求する画像処理内容設定要求手段を有し、前記画像処理内容設定要求手段は、前記画像データ要求手段の要求により選択された画像データに対して前記画像処理内容の設定を要求し、前記画像処理手段は、前記画像処理内容設定要求手段の要求により設定された画像処理内容に基づいて、前記画像データ要求手段の要求により選択された画像データを変換し、前記画像データ記憶手段は、前記画像処理手段が変換した画像データを記憶し、前記画像処理内容記憶手段は、前記変換した画像データに関連付けされた画像処理内容を記憶する。その際、外部端末の画像データの送信要求に応答する画像データ応答手段を有し、前記画像データ応答手段の応答において、前記画像処理手段が変換した画像データを外部端末に送信しても良い。
【発明の効果】
【０００９】
本発明によりユーザの多岐に渡る用途に対応した画像処理内容を記憶し、画像処理内容の度重なる指定を解消することができる。
【発明を実施するための最良の形態】
【００１０】
以下、本明細書と同時に提出する図面を参照しながら本発明の画像処理装置を実施するための最良の形態を説明する。
【００１１】
図１は本発明の画像処理装置を搭載したＭＦＰ(Multi Functional Peripheral)の内部構成を示した図面である。図１を参照してＭＦＰの機能に関する概要を説明する。
【００１２】
回転可能に支持されて図１の矢印方向に回転する感光体Ａ１の外周部には、クリーニング装置Ａ２と、帯電装置Ａ３と、現像装置Ａ５と、除電装置Ａ６とが配設されている。感光体Ａ１の外周部における帯電装置Ａ３と現像装置Ａ５との間には、露光装置Ａ４から発せられる光情報を入射させるスペースが確保されている。
図１に示す構成では感光体Ａ１が４個（Ｍ、Ｃ、Ｙ、Ｋ）あるが、現像装置Ａ５が扱う色材（トナー）の色が異なるのみ（Ｍ：マゼンタ、Ｃ：シアン、Ｙ：イエロー、Ｋ：ブラック）であり、それぞれの外周部に設けられる画像形成用の上述した部品構成は同じである。
【００１３】
感光体Ａ１は、直径が３０ｍｍから１００ｍｍ程度のアルミニュム円筒表面に、光導電性物質である有機半導体の層を設けて構成され、その一部が中間転写ベルト（第１の顕像担持手段）Ｂ１に接している。
【００１４】
中間転写ベルトＢ１は、回転するローラＢ２、Ｂ３、Ｂ４により支持され、図１の矢印方向に移動可能に張架されている。この中間転写ベルトＢ１の裏側（ループの内側）には、第１の転写手段Ｂ５が感光体Ａ１の近傍に配備され、感光体Ａ１上の顕像を中間転写ベルトＢ１に転写させる。
中間転写ベルトＢ１のベルトループの外側における、中間転写ベルトＢ１から顕像を記録媒体または裏面用中間転写ベルト（第２の顕像担持手段）Ｃ１に転写する位置の下流に、中間転写ベルト用クリーニング装置Ｂ６が配設されている。このクリーニング装置Ｂ６は、中間転写ベルトＢ１から顕像が他に転写された後でベルト表面に残留する不要のトナーを拭い去る。
【００１５】
露光装置Ａ４は公知のレーザ方式によるもので、フルカラー画像形成に対応した光情報を、一様に帯電された感光体Ａ１表面に潜像として照射する。この露光装置Ａ４としては、ＬＥＤアレイと結像手段とから成る露光装置を用いてもよい。
【００１６】
このように、上述した感光体Ａ１と、クリーニング装置Ａ２と、帯電装置Ａ３と、露光装置Ａ４と、現像装置Ａ５と、除電装置Ａ６と、第１の転写手段Ｂ５とが、中間転写ベルトＢ１に転写する顕像（トナーによる像）を生成する作像手段Ａとして機能する。
【００１７】
中間転写ベルトＢ１は、基体の厚みが５０μｍ乃至６００μｍの樹脂フィルムあるいはゴムを基体にしたベルトであり、感光体Ａ１からトナーを転写可能とする抵抗値を備える。
この中間転写ベルトＢ１に対して図１の右方には、ベルト状の裏面用中間転写ベルト（第２の顕像担持手段）Ｃ１が配設されている。この裏面用中間転写ベルトＣ１は、回転ローラＣ２、Ｃ３、Ｃ４により支持され、図１の矢印方向に移動可能に張架されており、裏側（ループの内側）には、第２の転写手段Ｃ５が配設されている。裏面用中間転写ベルトＣ１によるベルトループの外側に、この裏面用中間転写ベルト用クリーニング装置Ｃ６、チャージャＣＨ、などが配設されている。
クリーニング装置Ｃ６は、用紙にトナーを転写した後、裏面用中間転写ベルトＣ１上に残留する不要のトナーを拭い去る。
【００１８】
上述した第２の転写手段Ｃ５と、ローラＣ４と、中間転写ベルトＢ１を支持するローラＢ２とにより、中間転写ベルトＢ１と裏面用中間転写ベルトＣ１とは接触し、あらかじめ定められた転写ニップを形成する。
【００１９】
裏面用中間転写ベルトＣ１は、基体の厚みが５０μｍ乃至６００μｍの樹脂フィルムあるいはゴムを基体にしたベルトで、中間転写ベルトＢ１からトナーを転写可能とする抵抗値を備えるベルトである。
【００２０】
記録媒体（用紙）Ｐは図の下方の給紙装置（給紙カセット）Ｄ１、Ｄ２に収納されており、最上にある用紙が給紙ローラＤ３、Ｄ４で１枚づつ、複数のガイドＤ５を経てレジストローラ対Ｄ６に搬送される。
記録媒体Ｐが搬送されるさらに下流には、定着用加熱手段Ｅ１、排紙ガイド対Ｅ２、排紙ローラ対Ｅ３、排紙スタック部Ｅ４が配設されている。
【００２１】
図１における中間転写ベルトＢ１の上方で排紙スタック部Ｅ４の下方には、補給用のトナーが収納できる収納部ＴＳが設けてある。トナーの色はマゼンタ（Ｍ）、シアン（Ｃ）、イエロー（Ｙ）、ブラック（Ｋ）の四色があり、カートリッジＴＣの形態にされている。このカートリッジＴＣからは、粉体ポンプ等により対応する色の現像装置に適宜補給される。
【００２２】
こうした装置本体の一部であるフレームＦ１は、開閉支軸Ｆ２を中心として、回動・開放が可能な構造にされている。このため、ユーザはこのフレームＦ１を開いた状態とすることにより記録媒体の搬送路を大きく開くことができ、ジャムが発生した場合の記録媒体（用紙）の処理を容易にしている。
【００２３】
また、上述した記録媒体Ｐへの画像形成を行う装置本体の上部に画像読み取り手段Ｇ１が支持部Ｇ２を介して連設され、この画像読み取り手段Ｇ１により読み取られた画像データを上述した装置本体が記録媒体Ｐに印刷することで、コピー動作を可能にするよう構成されている。
【００２４】
この画像読み取り手段Ｇ１は、自動原稿送り装置（ＡＤＦ(Auto Document Feeder)）Ｇ３と、コンタクトガラスＧ４と、露光ランプＧ５と、露光ランプＧ５による原稿画像からの反射光を反射させて所定の光路に導く複数の反射ミラーＧ６と、導かれた反射光を受光するイメージセンサアレイＧ７とを備え、原稿画像の片面または両面を自動原稿送り装置Ｇ３により自動的にコンタクトガラスＧ４上に読み取り可能にセットして読み取ることができるように構成されている。
【００２５】
画像読み取り手段Ｇ１の外周部には、操作パネル（不図示）が設けられている。この操操作パネルは、ユーザに各種の操作情報を表示により通知すると共に操作入力を受けるタッチパネルや、テンキーなど各種のボタンを備える。
ユーザは、この操作パネルにより、コピーの片面／両面切り替え、コピー動作の開始、コピー枚数の設定、コピー機能とプリンタ機能との切り替えなどの各種操作を行う。
【００２６】
次に、本形態のＭＦＰによる印刷処理行う場合の動作について説明する。
まず作像手段Ａによる作像が行われる。
露光装置Ａ４の動作により、不図示のＬＤ（Laser Diode）光源からの光は、不図示の光学部品を経て、帯電装置Ａ３により一様に帯電された感光体Ａ１のうち、まず感光体Ａ１（Ｍ）上に至り、書き込み情報（色に応じた情報）に対応した潜像を形成する。
【００２７】
感光体Ａ１（Ｍ）の潜像は現像装置Ａ５で現像され、トナーによる顕像が感光体Ａ１（Ｍ）の表面に形成・保持される。このトナー像は、第１の転写手段Ｂ５により、感光体Ａ１（Ｍ）と同期して移動する中間転写ベルトＢ１の表面に転写される。
感光体Ａ１（Ｍ）の表面は、残存するトナーがクリーニング装置Ａ２でクリーニングされ、除電装置Ａ６で除電され次の作像サイクルに備える。
【００２８】
中間転写ベルトＢ１は、表面に転写されたトナー像を坦持し、図１の矢印の方向に移動する。上述した感光体Ａ１（Ｍ）の場合と同様の動作により、感光体Ａ１（Ｃ）には別の色に対応する潜像が書き込まれ、その対応する色のトナーで現像され顕像が形成される。この顕像は、すでに中間転写ベルトＢ１に転写されている前の色の顕像に重ねられ、最終的に感光体Ａ１（Ｍ）からＡ１（Ｋ）により形成された４色の顕像が重ねられる。
【００２９】
このとき同期して裏面用中間転写ベルトＣ１は矢印方向に移動していて、中間転写ベルトＢ１表面に転写された顕像が、第２の転写手段Ｃ５の作用により裏面用中間転写ベルトＣ１の表面に転写される。
このように、本形態のＭＦＰは、いわゆるタンデム形式である４個の感光体Ａ１上で顕像が形成されながら、中間転写ベルトＢ１および裏面用中間転写ベルトＣ１が移動し、作像が進められるので、感光体Ａ１上に顕像を形成して中間転写ベルトＢ１、裏面用中間転写ベルトＣ１まで転写していく工程に要する時間が短縮できる構成となっている。
【００３０】
中間転写ベルトＢ１が所定のところまで移動すると、記録媒体Ｐのもう一方の面（表面）に転写されるべきトナー画像が、上述した工程で再度作像手段Ａにより作像され、給紙が開始される。
給紙ローラＤ３が反時計方向に回転すると、給紙装置（給紙カセット）Ｄ１内の最上部にある記録媒体Ｐが引き出され、レジストローラ対Ｄ６に搬送される。
【００３１】
レジストローラ対Ｄ６を経て、中間転写ベルトＢ１と裏面用中間転写ベルトＣ１の間に搬送された記録媒体Ｐの片側の面（表面）に、中間転写ベルトＢ１表面のトナー像が第２の転写手段Ｃ５により転写される。
更に記録媒体Ｐは図１における上方に搬送され、裏面用中間転写ベルトＣ１表面のトナー像が、チャージャＣＨにより記録媒体Ｐのもう一方の面（裏面）に転写される。転写に際して、記録媒体Ｐは画像の位置が正規のものとなるよう、ＣＰＵ(Central Processing Unit)（不図示）によりタイミングがとられて搬送される。
【００３２】
本形態では、感光体Ａ１上に作像されるトナーの極性はマイナスである。第１の転写手段Ｂ５にプラスの電荷を与えることで、感光体Ａ１に作像された顕像（トナー）は中間転写ベルトＢ１に転写される。さらに、第２の転写手段Ｃ５にプラスの電荷を与えることで、中間転写ベルトＢ１に作像されたトナーは裏面用中間転写ベルトＣ１に転写される。
こうして、上述のように中間転写ベルトＢ１表面のトナーが記録媒体Ｐの片側の面（表面）に転写された後、チャージャＣＨからプラス極性の電荷与えることで、裏面用中間転写ベルトＣ１表面のマイナス極性のトナーは吸引されて、記録媒体Ｐの他の面（裏面）に転写される。
【００３３】
上述した動作により両面にトナー像が転写された記録媒体Ｐは、定着手段Ｅ１に送られ、記録媒体上の両面のトナー像が一度に溶融、定着され、ガイド対Ｅ２を経て排紙ローラ対Ｅ３により本体フレーム上部の排紙スタック部Ｅ４に排出される。
【００３４】
図１に示すように排紙部Ｅ４を構成した場合、両面印刷される各面の画像のうち後から作像手段Ａにより作像されて記録媒体Ｐに転写される面（頁）、すなわち中間転写ベルト１０から記録媒体Ｐに直接転写される面（表面）が下面となって排紙スタック部Ｅ４に載置されるから、頁揃えをしておくには２頁目の画像を作像手段Ａにより先に作成して裏面用中間転写ベルトＣ１にそのトナー像（顕像）を保持し、１頁目の画像を中間転写ベルトＢ１から記録媒体Ｐに直接転写するようにすればよい。
【００３５】
中間転写ベルトＢ１から記録媒体Ｐの表面に転写される画像は、感光体Ａ１表面で正像になるよう露光されて形成され、裏面用中間転写ベルトＣ１から記録媒体の裏面に転写されるトナー像は、感光体Ａ１表面で逆像（鏡像）になるよう露光されて形成される。
このような頁揃えのための作像手順は、画像データを記憶手段（メモリ）に貯蔵する公知の技術を用いることで実現でき、また形成する画像を正像、逆像（鏡像）に切り換えるよう露光することは、公知の画像処理技術を用いることにより実現可能である。
【００３６】
裏面用中間転写ベルトＣ１から記録媒体Ｐに転写した後、内部に公知のブラシローラ、回収ローラ、ブレード等を備えたクリーニング装置Ｃ６は、裏面用中間転写ベルトＣ１表面に残留する不要のトナーや紙粉を除去する。
【００３７】
図１ではクリーニング装置Ｃ６のブラシローラが裏面用中間転写ベルトＣ１表面から離れた状態にある。このブラシローラは支点Ｃ７を中心として揺動可能に設けられ、裏面用中間転写ベルトＣ１表面に接離可能な構造になっている。
中間転写ベルトＢ１から転写されたトナー像を記録媒体Ｐに転写する以前、すなわち裏面用中間転写ベルトＣ１がトナー像を担持しているときは離れた状態とし、記録媒体Ｐへの転写が行われてクリーニングが必要となったとき、ＣＰＵはブラシローラを図１での反時計方向に揺動し接触させる。
除去された不要トナーはトナー収納部Ｃ８に集められる。
【００３８】
次に図２を参照して、本形態の画像処理装置が接続された画像処理システムに関する説明をする。図２には図１を参照して説明したＭＦＰ（ＭＦＰ１とする）と外部端末であるＰＣ(Personal Computer)２がネットワークを形成している画像処理システムが図示されている。
【００３９】
ＭＦＰ１を構成する構成要素は、ＣＰＵ１１、ＲＯＭ(Read Only Memory)１２、ＲＡＭ１（１３−１）、ＲＡＭ２（１３−２）、ＩＰＵ(Image Processing Unit)１４、操作パネル１５、スキャナ１６、プリンタ１７、Ｉ／Ｆ（インターフェイス）１８、通信制御手段１９である。そして各構成要素はシステムバスで接続されている。
【００４０】
ＣＰＵ１１はＲＯＭ１２に記録されているプログラムに応じてコピー処理、ＦＡＸ処理などの種々の処理を統括する素子である。ＲＯＭ１２は、ＣＰＵ１１による処理を実行させるプログラムを記録した記録媒体である。
【００４１】
ＲＡＭ１（１３−１）はコピー処理、ＦＡＸ処理で形成される画像データを記憶する。記憶する画像データは外部より指定入力された画像処理内容に基づく。ＲＡＭ２（１３−２）は画像処理内容を記憶するが、その際にその画像処理内容に基づく画像処理を行う画像データを関連付けて記憶する。
【００４２】
ＩＰＵ１４は指定された画像処理内容に基づいて画像データを変換する画像処理機能を有する素子である。この画像処理機能により指定された画像処理内容に基づき画像データを変換する。変換された画像データもＲＡＭ１（１３−１）に記憶される。
【００４３】
操作パネル１５はユーザに各種の操作情報を表示により通知すると共に操作入力を受けるタッチパネルや、テンキーなど各種のボタンを備える。
【００４４】
スキャナ１６は、所定の原稿を読み取り、感光させることにより静電潜像を形成してから電子化した画像データを生成する機能を有する。その画像データはＲＡＭ１（１３−１）に記憶される。プリンタ１７は、ＣＰＵ１１の印刷出力処理に応じてＲＡＭ１（１３−１）に記憶されている画像データなどから対応する内容を印刷出力する。
【００４５】
Ｉ／Ｆ（１８）はネットワークに接続し、ＰＣ２と送受信する各種情報を中継する機能を有する。Ｉ／Ｆ（１８）の代表的なものとして、Ethernet（登録商標）のインターフェイスを使用すると良い。
【００４６】
通信制御手段１９はＰＣ２と通信状態を確立するためにＩ／Ｆ（１８）を介して各種情報の送受信を制御する機能を有する。この通信制御手段１９は、画像データ応答手段１９−１、画像処理内容設定要求手段１９−２、画像データ要求手段１９−３を有している。
画像データ応答手段１９−１はＰＣ２より画像データの送信要求に係る情報を受信する。すると、ＣＰＵ１１の処理に基づきＲＡＭ１（１３−１）に記憶されている画像データが送信される。
画像処理内容設定要求手段１９−２はＰＣ２に対して画像処理内容の設定の要求に係る情報を送信する。すると、ＰＣ２より画像処理内容に係る情報を受信し、ＩＰＵ１４の画像処理機能により一の画像データがその画像処理内容により画像処理される。
画像データ要求手段１９−３はＰＣ２に対してＲＡＭ１（１３−１）に記憶されている画像データのうち所望のものを選択する要求に係る情報を送信する。すると、ＰＣ２より前記選択に係る情報を受信し、ＩＰＵ１４の画像処理機能により選択された画像データが画像処理される。
【００４７】
ＰＣ２は所定の通信制御手段、インターフェースを搭載して、ＭＦＰ１と通信状態を確立する機能を有している。そして、ＭＦＰ１と各種情報を中継する。
【００４８】
以下、上記ＭＦＰ１に係る画像処理装置、ＭＦＰ１及びＰＣ２により構成される画像処理システムにおける画像処理に関する説明をフローチャートを参照しながら説明する。
【００４９】
図３のフローチャートを用いて、ＭＦＰ１における画像処理に関する動作を説明する。ＲＡＭ１（１３−１）には予め画像データが記憶されているものとする。
【００５０】
まず、ユーザは操作パネル１５を操作してＲＡＭ１（１３−１）に記憶されている画像データを指定し、用途に合わせた画像処理内容の入力をする（Ｓ１１）。ＣＰＵ１１は指定された画像データを読み出し、入力された画像処理内容をＩＰＵ１４に設定する（Ｓ１２）。ＩＰＵ１４は設定された画像処理内容に基づいて読み出された画像データに対し画像処理を行い、変換した画像データを生成する（Ｓ１３）。ＣＰＵ１１は変換した画像データをＲＡＭ１（１３−１）に記憶させ、保存する（Ｓ１４）。ＲＡＭ２（１３−２）には変換した画像データに関連付けされた画像処理内容が記憶される。ＣＰＵ１１は読み出した、変換前の画像データもＲＡＭ１（１３−１）に併せて保存させておく。
【００５１】
複数の画像処理内容が記憶された状態になるため、１つの画像データに対し複数とおりの画像処理内容を指定できるようになる。従ってユーザは自身の用途に応じた画像処理内容を指定することができ、度重なる指定入力を省略することができる。
【００５２】
次に図４のフローチャートを用いて、ＭＦＰ１及びＰＣ２により構成される画像処理システムにおける画像処理に関する動作の一つを説明する。ＲＡＭ１（１３−１）には予め画像データが記憶されているものとする。
【００５３】
まず、ユーザは操作パネル１５を操作してＲＡＭ１（１３−１）に記憶されている画像データを指定し、用途に合わせた画像処理内容の入力をする（Ｓ２１）。ＣＰＵ１１は指定された画像データを読み出し、入力された画像処理内容をＩＰＵ１４に設定する（Ｓ２２）。ＩＰＵ１４は設定された画像処理内容に基づいて読み出された画像データに対し画像処理を行い、変換した画像データを生成する（Ｓ２３）。画像データ応答手段１９−１がＰＣ２より変換した画像データの送信要求に応答し、通信制御手段１９は変換した画像データをＩ／Ｆ（１８）を介してＰＣ２に送信する（Ｓ２４）。ＲＡＭ２（１３−２）には変換した画像データに関連付けされた画像処理内容が記憶される。その際、ＣＰＵ１１は変換前後の画像データをＲＡＭ１（１３−１）に記憶させ、保存してもよい。
【００５４】
ユーザは自身の用途に応じた画像処理内容を指定することができ、度重なる指定入力を省略することができるだけでなく、ＭＦＰ１と遠く離れたＰＣ２上でも変換後の画像データの管理を行うことができ、用途の多様性が広がる。
【００５５】
次に図５のフローチャートを用いて、ＭＦＰ１及びＰＣ２により構成される画像処理システムにおける画像処理に関する動作の一つを説明する。ＲＡＭ１（１３−１）には予め画像データが記憶されているものとする。
【００５６】
まず、画像データ要求手段１９−３はＰＣ２に画像データの選択するように要求し、併せて画像処理内容設定要求手段１９−２は、選択されたときの画像データに対応する画像処理内容を設定するように要求する。ユーザはＰＣ２を操作し、通信制御手段１９による通信制御によりＲＡＭ１（１３−１）に記憶されている画像データを指定し、用途に合わせた画像処理内容の入力をする（Ｓ３１）。ＣＰＵ１１は指定された画像データを読み出し、入力された画像処理内容をＩＰＵ１４に設定する（Ｓ３２）。ＩＰＵ１４は設定された画像処理内容に基づいて読み出された画像データに対し画像処理を行い、変換した画像データを生成する（Ｓ３３）。ＣＰＵ１１は変換した画像データをＲＡＭ１（１３−１）に記憶させ、保存する（Ｓ３４）。ＲＡＭ２（１３−２）には変換した画像データに関連付けされた画像処理内容が記憶される。ＣＰＵ１１は読み出した、変換前の画像データもＲＡＭ１（１３−１）に併せて保存させておく。
【００５７】
ユーザは自身の用途に応じた画像処理内容をＭＦＰ１と遠く離れたＰＣ２上から指定することができ、ＭＦＰ１に保存させることができる。度重なる指定入力を省略することができるだけでなく、ＭＦＰ１と遠く離れたＰＣ上でも変換後の画像データの管理を行うことができ、用途の多様性が広がる。
【００５８】
次に図６のフローチャートを用いて、ＭＦＰ１及びＰＣ２により構成される画像処理システムにおける画像処理に関する動作の一つを説明する。ＲＡＭ１（１３−１）には予め画像データが記憶されているものとする。
【００５９】
まず、画像データ要求手段１９−３はＰＣ２に画像データの選択するように要求し、併せて画像処理内容設定要求手段１９−２は、選択されたときの画像データに対応する画像処理内容を設定するように要求する。ユーザはＰＣ２を操作し、通信制御手段１９による通信制御によりＲＡＭ１（１３−１）に記憶されている画像データを指定し、用途に合わせた画像処理内容の入力をする（Ｓ４１）。ＣＰＵ１１は指定された画像データを読み出し、入力された画像処理内容をＩＰＵ１４に設定する（Ｓ４２）。ＩＰＵ１４は設定された画像処理内容に基づいて読み出された画像データに対し画像処理を行い、変換した画像データを生成する（Ｓ４３）。画像データ応答手段１９−１がＰＣ２より変換した画像データの送信要求に応答し、通信制御手段１９は変換した画像データをＩ／Ｆ（１８）を介してＰＣ２に送信する（Ｓ４４）。ＲＡＭ２（１３−２）には変換した画像データに関連付けされた画像処理内容が記憶される。その際、ＣＰＵ１１は変換前後の画像データをＲＡＭ１（１３−１）に記憶させ、保存してもよい。
【００６０】
ユーザは自身の用途に応じた画像処理内容をＭＦＰ１と遠く離れたＰＣ２上から指定することができ、度重なる指定入力を省略することができる。さらに、ＰＣ２では施すことができないＭＦＰ１の高精度かつ高速な画像処理変換を施した画像データをＰＣ２上で管理を行うことができ、用途の多様性が広がる。
【００６１】
次に図７のフローチャートを用いて、ＭＦＰ１及びＰＣ２により構成される画像処理システムにおける画像処理に関する動作の一つを説明する。
【００６２】
まず、画像データ要求手段１９−３はＰＣ２に画像データの選択するように要求し、併せて画像処理内容設定要求手段１９−２は、選択されたときの画像データに対応する画像処理内容を設定するように要求する。ここでＲＡＭ１（１３−１）に選択すべき画像データが無いときは、ユーザはＰＣ２を操作し、用途に合わせた画像処理内容の入力をする。ＭＦＰ１は通信制御手段１９による通信制御により画像処理内容を受信し、ＲＡＭ２（１３−２）に記憶・保存させる（Ｓ５１）。続いてユーザはＰＣ２を操作し、画像処理を行いたい画像データを送信する。ＭＦＰ１は通信制御手段１９による通信制御により画像データを受信し、ＲＡＭ１（１３−１）に記憶・保存させる（Ｓ５２）。ＣＰＵ１１は受信した画像データを読み出し、入力された画像処理内容をＩＰＵ１４に設定する（Ｓ５３）。ＩＰＵ１４は設定された画像処理内容に基づいて受信した画像データに対し画像処理を行い、変換した画像データを生成する（Ｓ５４）。画像データ応答手段１９−１がＰＣ２より変換した画像データの送信要求に応答し、通信制御手段１９は変換した画像データをＩ／Ｆ（１８）を介してＰＣ２に送信する（Ｓ５５）。ＲＡＭ２（１３−２）には変換した画像データに関連付けされた画像処理内容が記憶される。その際、ＣＰＵ１１は変換前後の画像データをＲＡＭ１（１３−１）に記憶させ、保存してもよい。
【００６３】
ユーザは自身の用途に応じた画像処理内容をＭＦＰ１と遠く離れたＰＣ２上から指定することができ、度重なる指定入力を省略することができる。さらに、ＰＣ２に記憶されている画像データに対して画像処理を行う必要があるとき、ＰＣ２では施すことができないＭＦＰ１の高精度かつ高速な画像処理変換を施すことができる。そしてその変換後の画像データをＭＦＰ１又はＰＣ２上で管理を行うことができ、用途の多様性が広がる。
【００６４】
なお、上述した形態は本発明を実施するための最良の形態であるがこれに限定する趣旨ではない。従って、本発明の要旨を変更しない範囲において種々変形することが可能である。
【産業上の利用可能性】
【００６５】
本発明の画像処理装置を搭載したコピー機、プリンタ、ＭＦＰ等の開発が望まれる。
【図面の簡単な説明】
【００６６】
【図１】ＭＦＰの内部構成を示した図面である。
【図２】ＭＦＰ１と外部端末であるＰＣ２がネットワークを形成している画像処理システムを図示した図面である。
【図３】ＭＦＰ１における画像処理に関する動作を説明するフローチャートである。
【図４】ＭＦＰ１及びＰＣ２により構成される画像処理システムにおける画像処理に関する動作の一つを説明するフローチャートである。
【図５】ＭＦＰ１及びＰＣ２により構成される画像処理システムにおける画像処理に関する動作の一つを説明するフローチャートである。
【図６】ＭＦＰ１及びＰＣ２により構成される画像処理システムにおける画像処理に関する動作の一つを説明するフローチャートである。
【図７】ＭＦＰ１及びＰＣ２により構成される画像処理システムにおける画像処理に関する動作の一つを説明するフローチャートである。
【符号の説明】
【００６７】
Ａ    作像手段
Ａ１    感光体
Ａ２    クリーニング装置
Ａ３    帯電装置
Ａ４    露光装置
Ａ５    現像装置
Ａ６    除電装置
Ｂ１    中間転写ベルト
Ｂ２、Ｂ３、Ｂ４    ローラ
Ｂ５    第１の転写手段
Ｂ６    クリーニング装置
Ｃ１    裏面用中間転写ベルト
Ｃ２、Ｃ３、Ｃ４    回転ローラ
Ｃ５    第２の転写手段
Ｃ６    クリーニング装置
Ｃ７    支点
Ｃ８    トナー収納部
Ｄ１、Ｄ２    給紙装置
Ｄ３、Ｄ４    給紙ローラ
Ｄ５    ガイド
Ｄ６    レジストローラ対
Ｅ１    定着用加熱手段
Ｅ２    排紙ガイド対
Ｅ３    排紙ローラ対
Ｅ４    排紙スタック部
Ｆ１    フレーム
Ｆ２    開閉支軸
Ｇ１    画像読み取り手段
Ｇ２    支持部
Ｇ３    自動原稿送り装置
Ｇ４    コンタクトガラス
Ｇ５    露光ランプ
Ｇ６    反射ミラー
Ｇ７    イメージセンサアレイ
Ｐ    記録媒体（用紙）
ＣＨ    チャージャ
ＴＳ    収納部
ＴＣ    カートリッジ
１    ＭＦＰ
２    ＰＣ
１１    ＣＰＵ
１２    ＲＯＭ
１３−１    ＲＡＭ１
１３−２    ＲＡＭ２
１４    ＩＰＵ
１５    操作パネル
１６    スキャナ
１７    プリンタ
１８    Ｉ／Ｆ
１９    通信制御手段
１９−１    画像データ応答手段
１９−２    画像処理内容設定要求手段
１９−３    画像データ要求手段
【図１】
2006086616.tif 000003
【図２】
2006086616.tif 000004
【図３】
2006086616.tif 000005
【図４】
2006086616.tif 000006
【図５】
2006086616.tif 000007
【図６】
2006086616.tif 000008
【図７】
2006086616.tif 000009